(57)【要約】【課題】オイルレベルゲージの形状に工夫を施すことにより、オイルレベルゲージガイドのガイドチューブの単純な形状を維持したまま、オイルレベルゲージによるブローバイパス通路の閉塞を防止することができる内燃機関を提供する。【解決手段】板状のオイルレベルゲージ４と、該オイルレベルゲージ４を収容する管状のオイルレベルゲージガイド２を備えると共に、該オイルレベルゲージガイド２と、シリンダヘッドカバー３０とシリンダヘッド２０で形成されるカム室３１との間に連通路３を設け、クランク室１１内のブローバイガスを、前記オイルレベルゲージガイド２から前記連通路３経由で前記カム室３１に流通させる内燃機関１において、前記オイルレベルゲージ４の前記連通路３の入口３ａに対向する部位４ａ及びその近傍４ｂに、ブローバイガス流通確保手段５，６，７を設けて構成する。【選択図】　図１
2004076627.tif 000002
【特許請求の範囲】
【請求項１】
板状のオイルレベルゲージと、該オイルレベルゲージを収容する管状のオイルレベルゲージガイドを備えると共に、該オイルレベルゲージガイドと、シリンダヘッドカバーとシリンダヘッドで形成されるカム室との間に連通路を設け、クランク室内のブローバイガスを、前記オイルレベルゲージガイドから前記連通路経由で前記カム室に流通させる内燃機関において、前記オイルレベルゲージの前記連通路の入口に対向する部位及びその近傍に、ブローバイガス流通確保手段を設けたことを特徴とする内燃機関。
【請求項２】
前記ブローバイガス流通確保手段を、前記オイルレベルゲージの前記連通路の入口に対向する部位及びその近傍のみに、捩じり部を設けて構成することを特徴とする内燃機関。
【請求項３】
前記ブローバイガス流通確保手段を、前記オイルレベルゲージの前記連通路の入口に対向する部位に貫通孔を設けて構成することを特徴とする内燃機関。
【請求項４】
前記ブローバイガス流通確保手段を、前記オイルレベルゲージと前記オイルレベルゲージガイドの内面との間に空間を確保する、前記オイルレベルゲージの板面から突出して設けられた離間材で構成することを特徴とする内燃機関。
【請求項５】
前記オイルレベルゲージガイドを、径が同一な管状部材で形成したことを特徴とする請求項１記載の内燃機関。
【発明の詳細な説明】
【０００１】
【発明の属する技術分野】
本発明は、オイルレベルゲージガイドの上部をブローバイガス通路として利用する内燃機関に関し、より詳細には、オイルレベルゲージが挿入し易く、ブローバイガスの流通部分が閉塞されにくいオイルレベルゲージガイドを備えた内燃機関に関する。
【０００２】
【従来の技術】
内燃機関の燃焼室内で発生した燃焼ガスの一部であるブローバイガスに対処するために、特開昭６２−４９６０８号公報、実開平４−１２１４１４号公報、実公平６−４８０９１号公報等において、シリンダブロック内に設けられたオイル落とし通路（オイル戻し通路）とは別に、オイルレベルゲージガイドをブローバイガス通路として使用することが提案されている。
【０００３】
図５に示すように、これらの内燃機関１では、オイルレベルゲージガイド２とシリンダカバー３０内のカム室３１との間に連絡路３を設け、オイルパン１２内（又はシリンダブロック１０の下部）とカム室３１とを連通させており、オイル落とし通路（オイル戻し通路）１３とは別のブローバイガス通路２、３を形成している。
【０００４】
そして、これらの内燃機関１では、燃焼室内で発生し、ピストンリングから漏出したブローバイガスはクランクケース１１内に入り、オイルレベルゲージガイド２と連絡路３で構成されるブローバイガス通路内を上昇してカム室３１内に入り、更に、カム室２１のオイル分離室で、同伴するオイルを分離し、ガス成分は排出管４０経由で吸気マニホールド等に排出される。一方、ブローバイガスから分離されたオイルやカム室内２１の動弁系を潤滑したオイルは、オイル落とし通路１３からクランクケース１１内に戻り、オイルパン１２に備蓄される。
【０００５】
【発明が解決しようとする課題】
しかしながら、図７に示すように、オイルレベルゲージガイド２に、長尺の板状のオイルレベルゲージ４Ｘが挿入されているために、このオイルレベルゲージ４Ｘの挿入方向により閉塞の問題が生じる。つまり、オイルレベルゲージ４Ｘが連通路３の入口３ａに対面するように挿入された場合に、ブローバイガスの流量が増加すると、図５及び図６に示すように、平板状に形成されたオイルレベルゲージ４Ｘが長手方向に湾曲し、この湾曲したオイルレベルゲージ４Ｘがオイルレベルゲージガイド２の連通路３の入口３ａを閉塞するという問題がある。この閉塞が生じると、オイル漏れ，にじみ，ゲージ抜けによるブローバイガス大気放出等が発生するので、この閉塞を防止する必要がある。
【０００６】
そのため、図８に示すように、連通路３の入口３ａの近傍部分だけオイルレベルゲージガイド２Ｙの径を太した構造の内燃機関１Ｙもあるが、この場合には、オイルレベルゲージ４Ｘを挿入する時や引き出す時に、この径の変化部分にオイルレベルゲージ４Ｘが引っ掛かるため、オイルレベルゲージ４Ｘの挿脱性が悪化するという問題がある。
【０００７】
また、この径の変化に伴い、通常のオイルレベルゲージガイド２の径が変化しないガイドチューブ２に比べ、構造が複雑になり、部品点数が増加し、加工数も増加するため、製造コストが大幅に上昇するという問題が生じる。
【０００８】
本発明の目的は、オイルレベルゲージの形状に工夫を施すことにより、オイルレベルゲージガイドのガイドチューブの単純な形状を維持したまま、オイルレベルゲージによるブローバイパス通路の閉塞を防止することができる内燃機関を提供することにある。
【０００９】
【課題を解決するための手段】
上記の目的を達成するための本発明の内燃機関は、板状のオイルレベルゲージと、該オイルレベルゲージを収容する管状のオイルレベルゲージガイドを備えると共に、該オイルレベルゲージガイドと、シリンダヘッドカバーとシリンダヘッドで形成されるカム室との間に連通路を設け、クランク室内のブローバイガスを、前記オイルレベルゲージガイドから前記連通路経由で前記カム室に流通させる内燃機関において、前記オイルレベルゲージの前記連通路の入口に対向する部位及びその近傍に、ブローバイガス流通確保手段を設けたことを特徴として構成される。
【００１０】
そして、前記ブローバイガス流通確保手段を、前記オイルレベルゲージの前記連通路の入口に対向する部位及びその近傍のみに、捩じり部を設けて構成する。又は、前記ブローバイガス流通確保手段を、前記オイルレベルゲージの前記連通路の入口に対向する部位に貫通孔を設けて構成する。あるいは、前記ブローバイガス流通確保手段を、前記オイルレベルゲージと前記オイルレベルゲージガイドの内面との間に空間を確保する、前記オイルレベルゲージの板面から突出して設けられた離間材で構成する。
【００１１】
この構成によれば、ブローバイガス通路を形成する連通路の入口に対向する、オイルレベルゲージの部位及びその近傍に、捩じり部や貫通孔や離間材等で構成されるブローバイガス流通確保手段を設けているので、ブローバイガスの流通を確保でき、ブローバイガスの通路閉塞を防止することができる。
【００１２】
特に、捩じり部を設ける場合には、連通路の入口に対面する部分において、長手方向の曲げに対する剛性を強めることができ、オイルレベルゲージの長手方向の湾曲を防止でき、また、２次元形状の平板を部分的に３次元形状にすることができるので、ブローバイガス用の通路を確保することができる。
【００１３】
そして、貫通孔を設けた場合には、オイルレベルゲージの長手方向の湾曲を抑制でき、また、オイルレベルゲージが連通路の入口を塞いでも、貫通孔があるので、ブローバイガス用の通路を確保することができる。
【００１４】
また、離間材を設けた場合には、この離間材により、オイルレベルゲージガイドにオイルレベルゲージが当接するのを防止できるので、オイルレベルゲージが連通路の入口を塞ぐのを防止でき、ブローバイガス用の通路を確保することができる。
【００１５】
そして、上記の内燃機関において、前記オイルレベルゲージガイドが、径が均一な管状で形成する。この構成によれば、オイルレベルゲージガイドが単純な構造の同径の管状のガイドチューブとなるため、連通部の入口が設けられる部分の径が異なるオイルレベルゲージガイドに比較して、製造が簡単となり、製造コストを低減できる。
【００１６】
【発明の実施の形態】
以下、本発明に係る内燃機関の実施の形態について、図面を参照しながら説明する。
【００１７】
図１に示すように、この内燃機関１においては、シリンダブロック１０の上部にシリンダヘッド２０が搭載され、このシリンダヘッド２０の上部には、シリンダヘッドカバー３０が設けられている。
【００１８】
また、このシリンダブロック１０内には、上部に燃焼室を形成するシリンダ室やこのシリンダ室を上下するピストンに接続するクランクシャフト等を収容するクランクケース１１があり、このクランクケース１１の下部には、潤滑油オイルを貯留するオイルパン１２がある。
【００１９】
また、シリンダヘッド２０には、図示しないが吸気マニホールド、排気マニホールドが接続される。また、このシリンダヘッド２０とシリンダヘッド３０によって形成されるカム室３１には、ロッカーシャフト、カム、吸気弁、排気弁、オイル分離室等が収容されている。このカム室３１は吸気通路（図示しない）等に連通する排出口４０が設けられている。
【００２０】
そして、シリンダヘッド２０内とシリンダブロック１０内にはカム室３１とクランクケース１１を連通するオイル戻し通路１３が設けられ、更に、オイルパン１２（又はクランクケース１１）からオイルレベルゲージガイド２が立設され、このオイルレベルゲージガイド２の上部側に、カム室３１（又はシリンダヘッド２０）に連通する連通路３が設けられている。この構造により、オイル戻し通路１３とは別の、オイルパン１２（又はシリンダブロック１０）内とカム室３１と連通するブローバイガス通路２、３が形成される。
【００２１】
この構成において、燃焼室内で発生し、ピストンリングから漏出したブローバイガスはクランクケース１１内に入り、オイルレベルゲージガイド２と連絡路３で構成されるブローバイガス通路２、３内を上昇してシリンダヘッド２０からカム室３１内に至り、図示しないオイル分離室で、同伴するオイルを分離され、ガス成分は排出口４０から吸気マニホールド（図示しない）等に排出され、一方のオイル成分は、オイル戻し通路１３からクランクケース１１内に戻り、オイルパン１２内に備蓄されることとなる。
【００２２】
そして、本発明においては、オイルレベルゲージガイド２を、径が同一な管状部材で形成し、このオイルレベルゲージガイド２に挿入配置されるオイルレベルゲージ４を長尺の板状で形成し、更に、オイルレベルゲージガイド２と連通路３との入口３ａに対向する部位４ａ及びその近傍４ｂに、ブローバイガス流通確保手段５，６，７を設けて構成する。
【００２３】
このブローバイガス流通確保手段としては、図１及び図２に示すように、オイルレベルゲージ４の連通部３の入口３ａに対向する部位４ａ及びその近傍４ｂのみに設けた捩じり部（ひねり部）５や、図３に示すように、オイルレベルゲージ４の連通部３の入口３ａに対向する部位４ａに設けた貫通孔６や、図４に示すように、オイルレベルゲージガイド２と連通路３との入口３ａに対向する部位４ａ及びその近傍４ｂに設けた、オイルレベルゲージ４とオイルレベルゲージガイド２の内面との間に空間を確保する離間材７等がある。
【００２４】
そして、捩じり部５を設ける構成では、図１及び図２に示すように、連通路３の接続部３ａに捩じり部５が対向することになるので、ブローバイガス量が増加して、長尺板状のオイルレベルゲージ４が長手方向に撓もうとしても、捩じり部５の剛性で撓みが防止され、しかも、捩じり部５が立体的な形状をしているため、ブローバイガスの流通を確保できる。
【００２５】
また、貫通孔６を設けた構成では、図３に示すように、ブローバイガス量が増加し、長尺板状のオイルレベルゲージ４が長手方向に撓んで、連通路３との接続部３ａを塞ぐようになったとしても、この部分に貫通孔６が配置されることになるので、ブローバイガスの流通を確保できる。
【００２６】
また、離間材７を設けた構成では、図４（ａ）に示すように、この離間材７は、例えば、オイルレベルゲージ４の板材を表裏に打ち抜いて円弧状の凸部７ａを設けたり、図４（ｂ）に示すように、円弧状の線状部材７ｂを点溶接等で接合して設けたりして構成され、この離間材７により、連通路３との接続部３ａにおいて、オイルレベルゲージ４をオイルレベルゲージガイド２と離間させておくことができるので、ブローバイガス量が増加し、長尺板状のオイルレベルゲージ４が長手方向に撓んで、連通路３との接続部３ａを塞ごうとしても、この離間材７により、オイルレベルゲージ４をオイルレベルゲージガイド２と間に流通空間を確保してブローバイガスの流通を確保できる。
【００２７】
【発明の効果】
本発明の内燃機関によれば、オイルレベルゲージガイドと、シリンダヘッドカバーとシリンダヘッドで形成されるカム室との間に連通路を設け、オイル戻し通路とは別のブローバイガス通路を形成すると共に、オイルレベルゲージの連通路の入口に対向する部位及びその近傍に、捩じり部等のブローバイガス流通確保手段を設けたので、ブローバイガスの通路閉塞を防止することができ、ブローバイガスの流通を確保することができる。
【００２８】
そして、オイルレベルゲージガイドを、径が均一な管状で形成することにより、単純な構造となるため、接続部の入口が設けられる部分の径が異なるオイルレベルゲージガイドに比較して、製造が簡単となり、製造コストを低減できる。
【図面の簡単な説明】
【図１】本発明のオイルレベルゲージガイドをブローバイガス通路とした内燃機関の構成を示す模式的な図である。
【図２】捩じり部を設けたオイルレベルとオイルレベルゲージガイドを示す図である。
【図３】貫通孔を設けたオイルレベルとオイルレベルゲージガイドを示す図である。
【図４】離間材を設けたオイルレベルとオイルレベルゲージガイドを示す図であり、（ａ）は、オイルレベルゲージ４の板材を表裏に打ち抜いて設けた円弧状の凸部７ａを示す図で、（ｂ）は、点溶接等で接合して設けた円弧状の線状部材７ｂを示す図である。
【図５】従来技術のオイルレベルゲージガイドをブローバイガス通路とした内燃機関の構成を示す模式的な図である。
【図６】オイルレベルゲージガイドの閉塞状態を示す、図５のＡ部分の部分拡大図である。
【図７】従来技術の長尺の板状のオイルレベルゲージとオイルレベルゲージガイドを示す図である。
【図８】従来技術の連通路の入口部分を拡径したオイルレベルゲージガイドをブローバイガス通路とした内燃機関の構成を示す模式的な図である。
【図９】長尺の板状のオイルレベルゲージと拡径した部分を有するオイルレベルゲージガイドを示す図である。
【符号の説明】
１　　内燃機関
２　　オイルレベルゲージガイド
３　　連通路
３ａ　入口
４　　オイルレベルゲージ
４ａ　入口に対向する部位
４ｂ　入口に対向する部位の近傍
５　　捩じり部（ブローバイガス流通確保手段）
６　　貫通孔（ブローバイガス流通確保手段）
７　　離間材（ブローバイガス流通確保手段）
１０　　シリンダブロック
１１　　クランク室
２０　　シリンダヘッド
３０　　シリンダヘッドカバー
３１　　カム室
【図１】
2004076627.tif 000003
【図２】
2004076627.tif 000004
【図３】
2004076627.tif 000005
【図４】
2004076627.tif 000006
【図５】
2004076627.tif 000007
【図６】
2004076627.tif 000008
【図７】
2004076627.tif 000009
【図８】
2004076627.tif 000010
【図９】
2004076627.tif 000011